(57)【特許請求の範囲】
【請求項１】
模擬武器における発射体のためのマガジンであって、
内部チャンバを規定するハウジングであって、前記ハウジングは、前記内部チャンバの入口部に位置するガス入口と、前記内部チャンバの出口部に位置する出口と、を更に含み、前記ハウジングの前記内部チャンバは、一連の発射体を収容するように成形される、ハウジングと、
前記内部チャンバの前記出口部に位置決めされる抑制エレメントであって、前記抑制エレメントは、前記ガス入口に加えられる加圧ガスからの圧力に対して前記一連の発射体の先頭の発射体を抑制するように構成され、前記抑制エレメントは、前記先頭の発射体に亘る圧力が上昇すると、前記先頭の発射体を放出するように構成される、抑制エレメントと、
前記先頭の発射体が前記抑制エレメントによって抑制されるとき、前記先頭の発射体を流れ過ぎるガス用のギャップおよび／またはバイパス通路と、
を備えるマガジン。
【請求項２】
前記抑制エレメントは、前記出口部における前記内部チャンバの収束部を備える、請求項１に記載のマガジン。
【請求項３】
前記収束部は、ペレット角度の約二分の一未満の収束部の角度を有する、請求項２に記載のマガジン。
【請求項４】
前記抑制エレメントは、前記内部チャンバの前記出口部に位置決めされる戻り止めを備える、請求項１から３のいずれか一項に記載のマガジン。
【請求項５】
前記戻り止めは、前記発射体の外径未満である緩んだ内法寸法を有するリングを備える、請求項４に記載のマガジン。
【請求項６】
前記戻り止めは、ばね荷重である、請求項４に記載のマガジン。
【請求項７】
前記抑制エレメントは、前記内部チャンバの前記出口部に位置決めされるｏ‐リングを備える、請求項１から３のいずれか一項に記載のマガジン。
【請求項８】
前記ハウジングの前記内部チャンバは、前記発射体の２つの千鳥状列として前記一連の発射体を収容するように成形される、請求項１から７のいずれか一項に記載のマガジン。
【請求項９】
前記ハウジングの前記内部チャンバは、隣接する発射体を中心間が約６０度で位置決めするように成形される、請求項８に記載のマガジン。
【請求項１０】
前記ハウジングの前記内部チャンバは、単一列の発射体として前記一連の発射体を収容するように成形される、請求項１から７のいずれか一項に記載のマガジン。
【請求項１１】
前記ハウジングの前記内部チャンバは、２つの千鳥状列の発射体の少なくとも１つの領域及び単一列の発射体の少なくとも１つの領域において前記一連の発射体を収容するように成形される、請求項１から７のいずれか一項に記載のマガジン。
【請求項１２】
前記内部チャンバは、蛇行通路に従う、請求項１１に記載のマガジン。
【請求項１３】
前記２つの千鳥状列の発射体の領域は、前記蛇行通路の真っ直ぐな脚部に配置され、単一列の発射体に近い領域は、前記蛇行通路における涙滴形状を有する曲がり部に配置され、前記曲がり部は、第１の２つの千鳥状列の発射体を、単一列の発射体に収束するように構成され、かつ前記単一列の発射体を第２の２つの千鳥状列の発射体に分かれるように構成される、請求項１２に記載のマガジン。
【請求項１４】
前記ハウジングは、発射体を射出するように構成されるバレルから取り外し可能となるように構成される、請求項１から１３のいずれか一項に記載のマガジン。
【請求項１５】
前記ハウジングは、模擬ショットガンシェルとして成形される、請求項１から１１及び１４のいずれか一項に記載のマガジン。
【請求項１６】
前記ハウジングは、模擬グレネードに集積される、請求項１から１４のいずれか一項に記載のマガジン。
【請求項１７】
請求項１から１６のいずれか一項に記載のマガジンを備える模擬武器。
【請求項１８】
模擬グレネードであって、
内部チャンバを規定するハウジングであって、前記ハウジングは、前記内部チャンバの入口部に位置するガス入口と、前記内部チャンバの出口部に位置する出口と、を更に含み、前記ハウジングの前記内部チャンバは、一連の発射体を収容するように成形され、前記内部チャンバの少なくとも一部は、蛇行通路に従う、ハウジングと、
前記内部チャンバの前記出口部に位置決めされる抑制エレメントであって、前記抑制エレメントは、前記出口部において前記内部チャンバの収束部を含み、前記抑制エレメントは、前記ガス入口に加えられる加圧ガスからの圧力に対して一連の発射体の先頭の発射体を抑制するように構成され、前記抑制エレメントは、前記先頭の発射体に亘る圧力が上昇すると、前記先頭の発射体を放出するように構成される、抑制エレメントと、
前記先頭の発射体が前記抑制エレメントによって抑制されるとき、前記先頭の発射体を流れ過ぎるガス用のギャップおよび／またはバイパス通路と、を備え、
前記内部チャンバは、前記収束部で終端し、前記模擬グレネードの一端に環状通路を供給し、前記環状通路は、前記出口に位置合わせされた端部で終端する、模擬グレネード。
【請求項１９】
前記ハウジングに配置されるガスシリンダを更に備え、前記ガスシリンダは、加圧ガスを前記ガス入口に放出する、請求項１８に記載の模擬グレネード。
【発明の詳細な説明】
【技術分野】
【０００１】
関連出願の相互参照
本願は、２０１５年３月６日に出願された米国特許第６２／１２９，２０９号の優先権を主張し、参照によって本明細書に援用される。
【０００２】
本開示は、発射体を射出する模擬武器に関する。
【背景技術】
【０００３】
ペレット等のような複数の発射体を短い発射サイクルで発射する装置は、悪い結果で試みられてきた。
【０００４】
これらの試みの多くは、複数の発射体を、圧縮ガスの単一爆発によって推進される単一のバレルに装填することを含んでいる。非常に早い速度で発射されるこれらの発射体にとって、発射体間で共有される十分な力を与えるために非常に高いガス圧力が必要とされる。より多くのペレットが単一バレルに装填され、より多くの圧力が、ペレットの総充填間で「共有」するために必要とされる。これは、多くの発射体がバレルを共有することによる不都合な推進圧力及び低い弾道性能（高拡散）の要件をもたらす。更に、高圧力装置は、装填機構が故障した又は意図的に短く装填された場合に、非常に高い銃口エネルギーを単一の発射体に与える、又は発射体の短い充填を与える。
【０００５】
これらの課題を解決するためのいくつかの試みは、バレル当たりに１以上の発射体が装填される複数のバレルの発射を含む。また、バレル当たりの多くの発射体（バレル当たりに２より多い発射体）の課題は、複数バレルの装置に明らかとなっている。発射サイクル当たりに、高い速度の多数の発射体を実現するために非常に多くのバレルを有することは実用的ではない。装填が複雑であり、ガス圧力分布が複雑となる。
【発明の概要】
【０００６】
本発明の一態様によれば、模擬武器における発射体のためのマガジンは、内部チャンバを規定するハウジングを含む。前記ハウジングは、前記内部チャンバの入口部に位置するガス入口と、前記内部チャンバの出口部に位置する出口と、を更に含む。前記ハウジングの前記内部チャンバは、一連の球状発射体を収容するように成形される。前記マガジンは、前記内部チャンバの前記出口部に位置決めされる抑制エレメントを更に含む。前記抑制エレメントは、前記ガス入口に加えられる加圧ガスからの圧力に対して一連の発射体の先頭の発射体を抑制するように構成される。前記抑制エレメントは、前記内部チャンバ内の圧力が上昇すると、前記先頭の発射体を放出するように構成される。
【０００７】
前記抑制エレメントは、前記出口部における前記内部チャンバの収束部を含みうる。
【０００８】
前記収束部は、ペレット角度の約二分の一未満の収束部の角度を有しうる。
【０００９】
前記抑制エレメントは、前記内部チャンバの前記出口部に位置決めされる戻り止めを含みうる。
【００１０】
前記戻り止めは、前記発射体の外径未満である緩んだ内法寸法を有するリングを含みうる。
【００１１】
前記戻り止めは、ばね荷重でありうる。
【００１２】
前記抑制エレメントは、前記内部チャンバの前記出口部に位置決めされるｏ‐リングを含みうる。
【００１３】
前記抑制エレメントは、前記先頭の発射体が前記ｏ‐リングによって抑制されるとき、前記先頭の発射体を流れ過ぎるガス用のバイパス通路を更に含みうる。
【００１４】
前記ハウジングの前記内部チャンバは、前記発射体の２つの千鳥状列として前記一連の球状発射体を収容するように成形されうる。
【００１５】
前記ハウジングの前記内部チャンバは、隣接する発射体を中心間が約６０度で位置決めするように成形されうる。
【００１６】
前記ハウジングの前記内部チャンバは、単一列の発射体として前記一連の球状発射体を収容するように成形されうる。
【００１７】
前記ハウジングの前記内部チャンバは、２つの千鳥状列の発射体の少なくとも１つの領域及び単一列の発射体の少なくとも１つの領域において前記一連の球状発射体を収容するように成形されうる。
【００１８】
前記内部チャンバは、蛇行通路に従いうる。
【００１９】
２つの千鳥状列の発射体の領域は、前記蛇行通路の真っ直ぐな脚部に配置され、単一列の発射体に近い領域は、前記蛇行通路における涙滴形状を有する曲がり部に配置されうる。前記曲がり部は、第１の２つの千鳥状列の発射体を、単一列の発射体に収束するように構成され、かつ前記単一列の発射体を第２の２つの千鳥状列の発射体に分かれるように構成される。
【００２０】
前記ハウジングは、発射体を射出するように構成されるバレルから取り外し可能となるように構成されうる。
【００２１】
前記ハウジングは、模擬ショットガンシェルとして成形されうる。
【００２２】
前記ハウジングは、模擬グレネードに集積されうる。
【００２３】
本発明の他の態様によれば、模擬武器は、上述されたマガジンを含む。
【００２４】
本発明の他の態様によれば、模擬グレネードは、内部チャンバを規定するハウジングを含む。前記ハウジングは、前記内部チャンバの入口部に位置するガス入口と、前記内部チャンバの出口部に位置する出口と、を更に含む。前記ハウジングの前記内部チャンバは、一連の球状発射体を収容するように成形される。前記内部チャンバの少なくとも一部は、蛇行通路に従う。前記模擬グレネードは、前記内部チャンバの前記出口部に位置決めされる抑制エレメントを更に含む。前記抑制エレメントは、前記出口部において前記内部チャンバの収束部を含む。前記抑制エレメントは、前記ガス入口に加えられる加圧ガスからの圧力に対して一連の発射体の先頭の発射体を抑制するように構成される。前記抑制エレメントは、前記内部チャンバ内の圧力が上昇すると、前記先頭の発射体を放出するように構成される。前記内部チャンバは、前記収束部で終端し、前記模擬グレネードの一端に環状通路を供給する。前記環状通路は、前記出口に位置合わせされた端部で終端する。
【００２５】
ガスシリンダは、前記ハウジングに配置されることができ、前記ガスシリンダは、加圧ガスを前記ガス入口に放出する。
【図面の簡単な説明】
【００２６】
図面は、本開示の実施形態を例示のみによって示す。
【００２７】
【図１】図１は、模擬武器の概略図である。
【図２】図２は、模擬ショットガンシェルの形態でのマガジンの斜視図である。
【図３】図３は、図２のマガジンの断面図である。
【図４】図４Ａ−４Ｃは、マガジンの端を前にした断面の概略図である。
【図５】図５は、戻り止めを有さないマガジンの部分断面図である。
【図６】図６は、収束部を有さないマガジンの部分断面図である。
【図７】図７は、スタック構成を示すマガジンの部分断面図である。
【図８Ａ】図８Ａは、別の実施形態に係るマガジンの部分断面図である。
【図８Ｂ】図８Ｂは、図８Ａのマガジンの端を前にした断面の概略図である。
【図９】図９は、更に別の実施形態に係るマガジンの部分断面図である。
【図１０】図１０は、模擬グレネードの斜視図である。
【図１１】図１１は、模擬グレネードの内部構造の斜視図である。
【図１２】図１２は、模擬グレネードの更なる内部構造の部分斜視図である。
【発明を実施するための形態】
【００２８】
本発明は、上述した課題の少なくとも１つを解決することを目的とする。
【００２９】
図１は、ゲーム及び戦術訓練等のようなエアソフトアクティビティに用いられるような模擬武器を示す。模擬武器は、エアソフトペレット等のような球状発射体を発射する。模擬武器は、加圧ガス供給部１０と、トリガリング機構１２と、マガジン１４と、円筒状バレル１６と、を含む。加圧ガス供給部１０と、液体プロパン、圧縮空気、圧縮二酸化炭素又は同様のものを格納するためのキャニスターを含みうる。トリガー機構１２は、機械的なトリガー又はマガジン１４へ加圧ガスを放出するための他の種類のゲーティングを含みうる。マガジン１４は、発射のために発射体１８をバレル１６に提供する。これらは、模擬武器の一般的な原理であるが、他のバージョンも知られている。更に、模擬武器は、ショットガン、グレネード又は他の種類の武器を表しうる。模擬武器は、玩具武器、高度に本物らしさを有する精巧なレプリカ又は同様のものでありうる。
【００３０】
図２を参照すると、本発明に係るマガジン１４は、ガス入口２２及び出口２４を含むハウジング２０を含む。マガジン１４は、複数の球状発射体を格納し、加圧ガスがガス入口２２に加えられるとき、発射体及び排出ガスは、出口２４を出る。示される実施例では、ハウジング２０は、模擬ショットガンシェルとして成形される。ハウジング２０は、ショットガンシェルの装填及び射出をシミュレートするためにバレル１６から取り外し可能に構成される。しかし、これは、ショットガン発砲をシミュレートするためには必要ではなく、ハウジング２０は、模擬武器に不可欠でありうる。他の形状もまた考慮される。
【００３１】
図３を参照すると、ハウジング２０は、１以上の内壁３２によって囲まれる内部チャンバ３０を規定する。ガス入口２２は、内部チャンバ３０の入口部３４に位置し、出口２４は、内部チャンバ３０の出口部３６に位置する。内部チャンバ３０は、一連の球状発射体１８を収容するように成形される。内部チャンバ３０は、発射体がバレルに向かって制御されて進むことができるように、発射体１８の周囲に大きなクリアランスを提供するような大きさである。示される実施例では、内部チャンバ３０は、一般的には、丸みを帯び、かつ傾斜したコーナー領域を有する矩形である。内部チャンバ３０の断面は、一般的には矩形である。示される実施例では、内部チャンバの形状は、２つの千鳥状列の発射体１８を収容し、その隣接する発射体は、中心間が約６０度である。これは、マガジン１４の格納容量を有利に増加又は最大化しうる。他の形状の内部チャンバ及び得られる発射体配置もまた考慮される。
【００３２】
マガジンは、内部チャンバ３０の出口部３６に位置決めされる抑制エレメントを更に含む。抑制エレメントは、ガス入口２２に加えられる加圧ガスからの圧力に対して先頭の発射体１８Ａを抑制するように成形される。先頭の発射体１８Ａは、出口２４を部分的に塞ぎ、それによって、先頭の発射体１８Ａが抑制され、加圧ガスが加えられたままの間、内部チャンバ３０内の圧力は上昇する。抑制エレメントは、内部チャンバ３０内の圧力が、特に制限されないある量を超えて上昇すると、先頭の発射体１８Ａを放出するように成形される。
【００３３】
抑制エレメントは、一度に１つの発射体のみがバレル１６にあるように、マガジン外の発射体の流れを有益に調節する。つまり、発砲される発射体が、バレル１６を通過している間に、次の発射体は、部分的にのみガス流を塞ぎ、かつ圧力が、発砲される発射体を加速し続けることを可能にしている間に、抑制エレメントによって抑制される。発砲される発射体がバレルを離れると、バレル内の背圧が低減され、次の発射体を抑制エレメントを超えて前進させる。この処理の間、ガス圧力は、次の発射体の背後の残存する待機発射体を前進させる。抑制エレメントは、発射体速度を増加させ、バレル内に数個の発射体が集まる可能性を低減しようとすることができ、高い発砲率を維持したまま、発砲速度又は詰まりを低減する。発射体は、素早く、一度に一回発砲するように制御される。
【００３４】
抑制エレメントは、内部チャンバ３０の収束部４０を含み、その両方が、出口２４の上流の内部チャンバ３０の出口部３６に位置決めされる。収束部４０は、少なくとも１つの収束内壁４４（例えば、ウェッジ、シリンダー又は同様のものとして配置された壁）によって規定され、約３０度から約４０度の間の収束部角度（内壁４４の反対側との間の角度）を有しうる。より具体的には、収束部４０は、約３５度の収束部角度を有しうる。収束部４０、及び特にその断面は、先頭の発射体１８Ａの周囲にガスを流すことを可能にするように成形されるが、内部チャンバ３０における発射体１８の周囲に提供されるものよりも先頭の発射体１８Ａの周囲のより小さい断面積にも提供するように成形される。一例では、収束部４０の断面は、矩形である。収束部は、有利には、発射体の流れを収縮し、これは、発射体の流れを自由にするための抵抗力をバレルに提供するように、先頭の発射体１８Ａと内壁４４と他の発射体１８との間の摩擦力を増加させることができる。収束部４０の他の形状もまた、考慮される。
【００３５】
戻り止め４２は、発射体１８の外径未満の緩んだ内法寸法弾性ワイヤループ又は矩形、円形又は他の形状のリングを含みうる。当該ワイヤは、分解された金属断片の形態であることができ、内部チャンバ３０の出口部３６に配置される内部溝４６に位置する。戻り止め４２は、有利には、発射体の流れを自由にするための抵抗力をバレルに提供するように、先頭の発射体１８Ａを放出可能に抑制する。内壁から突出する静的なバンプ又はリブ等のような他の種類の戻り止めが考慮される。
【００３６】
他の例では、収束部４０及び戻り止め４２の一方のみが、抑制エレメントとして用いられる。
【００３７】
動作時には、推進ガスが、ガス入口２２を通じて内部チャンバ３０へ放出されるとき、ガスは、抑制エレメントに向かって発射体１８を前進させるために、小さな流入力を与えながら、発射体１８の周囲を流れる。一連の先頭の発射体１８Ａは、抑制エレメントに対するステージング領域へ押し出される。ステージング領域は、先頭の発射体１８Ａの周囲に多量のガス流を可能にするような大きさであるが、内部チャンバ３０に提供されるものよりも先頭の発射体１８Ａの周囲のより小さい断面積にも提供するような大きである。これは、先頭の発射体１８Ａに亘って高い圧力降下を生じる。
【００３８】
バレルが、発射体によって占有されない場合、バレルは、わずかな制限を有する大きな穴の空いた開口として機能する。これは、抑制エレメントの下流に低圧力領域を生じ、先頭の発射体１８Ａを支配的に制限する。先頭の発射体１８Ａに亘る高圧力降下は、ペレットが、抑制エレメントを通過し、素早く加速されてバレルに入ることを可能にする抑制エレメントを解消する大きな合力を生じる。発射体は、バレルの壁に近づいて適合し、発射体は、相当な質量を有するため、バレルにおいて発射体は、後続の先頭の発射体１８Ａに亘って圧力降下を低減する支配的な流れ制限となる。
【００３９】
一旦、バレルを伝わる発射体がバレルを離れると、バレル圧力は、素早く降下し、これは、後続の先頭の発射体１８Ａの前の低圧力領域に位置する。全ての発射体が発砲される、又はガス圧力が解除されるまで、サイクルは繰り返される。
【００４０】
図４Ａ−４Ｃは、概略的な断面における内部チャンバ３０及び収束部４０を示す。図４Ａは、発射体と内部チャンバ３０の内壁３２との間にギャップを形成する４つの断面積Ａ１及び２つの断面積Ａ２を有する内部チャンバ３０を示す。収束する内壁４４によって囲まれる収束部４０において発射体を考慮するとき、断面積Ａ２は、図４Ａに関しては低減される。収束部４０が最小面積に狭まると、断面積Ａ２は、１つの発射体が収束部４０を塞ぐまで低減し、ガス流のために断面積Ａ１を残す。明らかなことだが、ガスの流れに利用可能な総断面積（４＊Ａ１＋２＊Ａ２）は、内部チャンバ３０から収束部４０の最小部分を通じて低減し、それによって、先頭の発射体１８Ａ上で作用する圧力を増加させる。
【００４１】
図５は、収束部４０が用いられ、かつ戻り止め及びその溝が省略されたマガジン６０の実施形態を示す。本明細書で説明される他の実施形態の特徴及び態様は、マガジン６０に適用されることができ、同様の参照番号は同様の部位を示す。圧力が発射体に作用すると、先頭の発射体１８Ａは、出口２４の自由流出に抵抗するように、収束部４０の内壁４４及びすぐ後の発射体１８Ｂに対して何らかが挟まれる又は詰まらされる。この図にも示されるのは、収束部角度Ｃの二分の一である。更に、収束部４０は対称的であるが、これは、そうである必要はない。
【００４２】
図６は、戻り止めワイヤ４２及びその溝４６が用いられ、かつ収束部が省略されたマガジン７０の実施形態を示す。内部チャンバ７２は、一般的には、単一の列で発射体をガイドするように、出口２４に近づく形状で均一である。先頭の発射体１８Ａは、戻り止めワイヤ４２によって抑制され、ガスは、発射体と内部チャンバ７２の内壁との間のギャップ及び戻り止めワイヤ４２とその溝４６との間のギャップによって、発射体の列を流れ過ぎること及び先頭の発射体１８Ａを流れ過ぎることが許容されてもよい。直接的な圧力及び隣接する発射体との接触の一方又は両方から、合力が先頭の発射体１８Ａに作用すると、先頭の発射体１８Ａは、弾性戻り止めワイヤ４２を、戻り止めワイヤ４２を通過し、かつ出口２４を離れるために十分に開く。戻り止めワイヤ４２は、次の発射体を抑制するために、その緩んだ寸法に直ぐに戻る。マガジン７０は、シェルの射出を必要としない模擬ショットガンを提供するために、バルクばね荷重マガジンから装填する模擬武器で用いられうる。本明細書で説明される他の実施形態の特徴及び態様は、マガジン７０に適用されることができ、同様の参照番号は同様の部位を示す。
【００４３】
本発明の技術により許容される発射体の高速かつ制御された出力は、有利には、発射体の素早い爆発によって、ショットガン発射がシミュレートされることを可能にする。発射体の流れは、発射体の制御された流れを維持しつつ、単一のバレルを通じた単一の爆発として受け取られるように、高い発砲速度で発射される。
【００４４】
図７は、マガジンにおける発射体１８の積層した構成と、収束部４０における壁４４の角度との関係を示す。示される実施例では、角度θ（ペレット角としても知られる）は、発射体１８の中心間の角度である。角度θは、マガジンの大きさに応じて変更されうる。例えば、マガジンの内部の大きさが狭いと、角度θは、発射体１８が、マガジンの軸方向に沿ってきつく積層されないように、増加する。角度αは、収束部４０においてマガジンの軸に対する内壁４４の角度である。本実施形態では、角度αは、一般的には、発射体１８の結合又は垂直衝突の可能性を低減するために、角度θの約二分の一以下となるように設計される。しかし、結合を解決するために異なる大きさを有する他の実施形態では、角度θ及びαが変更されうることが理解される。
【００４５】
図８Ａ及び８Ｂは、別の抑制エレメントを有するマガジン１４０の実施形態を示す。本実施形態では、抑制エレメントは、収束部４０と、戻り止め１４６と、ばね等のような付勢部材１４７と、を含む。付勢部材１４７は、一般的には、発射体に抵抗を提供するために、戻り止め１４６を収束部に強いるように構成される。図８Ｂに示すように、４つの断面積Ａ１は、ガス流をバレルに提供するために形成する。
【００４６】
図９は、別の抑制エレメントを有するマガジン２４０の実施形態を示す。本実施形態では、抑制エレメントは、収束部４０と、ｏ‐リング２４６と、ガスがｏ‐リング２４６によって抑制される発射体を過ぎて、バレルへ流れるバイパス通路２４８と、を含む。ｏ‐リング２４６は、圧力の増大が発射体を射出するのに十分となるまで、先頭の発射体を抑制する。バイパス通路２４８は、射出された発射体の推進を継続し、かつバレルにいくつかの発射体が集まる可能性を低減するために、連続的なガス流を提供する。
【００４７】
図１０は、本発明に係るグレネード９０の形態の模擬武器の斜視図を示す。本明細書で説明される他の実施形態の特徴及び態様は、模擬グレネード９０に適用されることができる。グレネード９０は、発射体を含む円筒状カバー９２と、ガス圧力によって出口９６を通じて発射体の射出をトリガーする作動レバー９４と、を含む。
【００４８】
図１１は、カバー９２が取り除かれた模擬グレネード９０を示す。グレネード９０は、タイミング機構又はトリガー機構（図示せず）の介在によりレバー９４（図１０）の作動に応じて、加圧ガスを放出するようにトリガーされる加圧ガスシリンダー１０３を受け入れる中央開口１０２を有する、中空で、円筒状の内部ハウジング１００を含む。ハウジング１００及びカバー９２は、発射体マガジンを形成するために協調する。加圧ガスは、ハウジング１００の壁を通じて延びるガス入口（図示せず）によってマガジンの内部チャンバ１０４へ放出される。
【００４９】
内部チャンバ１０４は、ハウジング１００及びカバー９２の外面においてチャネルによって規定される。内部チャンバ１０４は、一連の球状発射体を収容するように成形される。内部チャンバ１０４は、ハウジング１００の長さに延びる真っ直ぐな脚部及び真っ直ぐな脚部の端部にＵ字型曲がり部を有する蛇行通路に従う。真っ直ぐな脚部は、壁１０６によって互いに隔てられ、Ｕ字型曲がり部は、このような壁１０６の凸状湾曲端１０８によって規定される。凸状湾曲端１０８は、涙滴型形状又は同様の形状でありうる。蛇行通路の形状は、発射される発射体の数を有利に増加させうる。蛇行通路は、円筒状ハウジング１００の外側の周囲に巻かれる巻き込み経路の一例である。他の経路も考慮される。
【００５０】
脚部の真っ直ぐな領域１１０は、発射体の２つの千鳥状列を格納するように成形されうる（図３参照）。曲がり部の湾曲領域１１２は、２つの千鳥状列を、より近づいた、発射体の直線配置に収束し、その後、近づいた配置を再び２つの千鳥状列に分けるように成形されうる。適切に近づいた、より直線的な配置の例は、図６に示すような単一列の発射体であり、曲がり部に従う。このよう単一列の発射体は、正確な直線である必要はなく、中心間の角度が６０度未満の発射体を有する配置を含むことが考慮される。発射体の最も狭い配置を提供する曲がり部は、発射体が曲がり部で詰まる可能性を低減しつつ、曲がり部の周囲の発射体の素早い流れを有利に助ける。他の例では、凸状湾曲端１０８に代えて又は加えて、曲がり部の外壁１１４に内部に面する凹部領域が設けられる。
【００５１】
図１２に示すように、蛇行内部チャンバ１０４は、グレネード９０の一端に環状通路１２２を供給する収束部１２０（図３参照）を終端する。環状通路１２２は、カバー９２において出口９６（図１０）に位置合わせされる端部１２４で終端する。
【００５２】
本発明の技術により可能となる発射体の高速かつ制御された出力は、発射体の素早い爆発によってグレネードがシミュレートされることを有利に可能にする。発射体の流れは、単一爆発として受け取られるように、高い発砲率で発射される。また、発射体の流れからの動的な反応は、グレネードに力を与え、グレネードを無秩序に移動させ、発射体の爆発のような曇りを出力する。
【００５３】
前述の記載は、特定の非限定的な例示的実施形態を提供するが、前述した記載の組み合わせ、サブセット及び変形が考慮されることを理解するべきである。求める独占権は特許請求の範囲によって定義される。
【図１】
0006774140.tif 000002
【図２】
0006774140.tif 000003
【図３】
0006774140.tif 000004
【図４Ａ】
0006774140.tif 000005
【図４Ｂ】
0006774140.tif 000006
【図４Ｃ】
0006774140.tif 000007
【図５】
0006774140.tif 000008
【図６】
0006774140.tif 000009
【図７】
0006774140.tif 000010
【図８Ａ】
0006774140.tif 000011
【図８Ｂ】
0006774140.tif 000012
【図９】
0006774140.tif 000013
【図１０】
0006774140.tif 000014
【図１１】
0006774140.tif 000015
【図１２】
0006774140.tif 000016